(57)【要約】【課題】施工が容易であり、装薬ホルダを正確な位置に設置でき破砕時の亀裂方向の制御効果も高い装薬物等を提供する。【解決手段】円弧状の板材５を切り込み１１の部分で折り曲げ端部１３同士を繋ぎ合わせて装薬ホルダ１を組み立てる。そして、装薬ホルダ１内に破砕剤９を装填する。次いで、円周状断面のパイプ１５を２つに分割して分割部１７を繋ぎ合わせた内部に、装薬ホルダ１を収容する。次に、装薬ホルダ１の外周面２２とパイプ１５の内周面２４との間に衝撃吸収材２９を配置し、パイプ１５内と装薬ホルダ１内の隙間２３にグラウト２５を充填して硬化させ、装薬物２７を事前に製作する。施工時には、対象物３５に形成した装薬孔３３に装薬物２７を挿し込んで、砂込した後発破を行い、対象物３５に所望の方向の亀裂３７を発生させる。【選択図】図１
2014085085.tif 000002
【特許請求の範囲】
【請求項１】
内部に破砕剤が装填された装薬ホルダと、
前記装薬ホルダを収容するパイプと、
前記パイプ内および前記装薬ホルダ内の隙間に充填された充填材と、
を具備することを特徴とする装薬物。
【請求項２】
前記パイプは、周方向に２つに分割され、分割部が繋ぎ合わされたことを特徴とする請求項１記載の装薬物。
【請求項３】
前記装薬ホルダは、前記破砕剤による爆発衝撃波またはガス圧力が集中する２つの集中箇所を有し、前記集中箇所と前記分割部の位置が対応することを特徴とする請求項２記載の装薬物。
【請求項４】
前記装薬ホルダの外周面と前記パイプの内周面との間に衝撃吸収材が配置されたことを特徴とする請求項１から請求項３のいずれかに記載の装薬物。
【請求項５】
内部に破砕剤が装填された装薬ホルダと、
前記装薬ホルダの側面に設けられたスペーサと、
を具備することを特徴とする装薬物。
【請求項６】
前記装薬ホルダは、円弧状の断面を有する板材に、側面から切り込みを入れ、前記板材を前記切り込みの部分で折り曲げて、周方向の端部同士を繋ぎ合わせて形成されたことを特徴とする請求項１から請求項５のいずれかに記載の装薬物。
【請求項７】
内部に破砕剤が装填された装薬ホルダをパイプに収容するとともに前記パイプ内および前記装薬ホルダ内の隙間に充填材を充填することにより予め製作された装薬物を、対象物に形成された装薬孔に挿し込むことを特徴とする装薬物の設置方法。
【請求項８】
装薬ホルダの内部に破砕剤を装填するとともに前記装薬ホルダの側面にスペーサを設けることにより予め製作された装薬物を、対象物に形成された装薬孔に挿し込むことを特徴とする装薬物の設置方法。
【発明の詳細な説明】
【技術分野】
【０００１】
本発明は、動的破砕制御のための装薬物および装薬物の設置方法に関する。
【背景技術】
【０００２】
コンクリート構造物等の対象物を発破解体する際に、亀裂方向を制御して、対象物を破砕させる方法が知られている。
【０００３】
これは、例えば、対象物に設けた装薬孔に、爆薬などの破砕剤を装填した装薬ホルダを設置し、破砕剤の点火（起爆）により破砕を行うものである。この際、例えば爆薬を使用する場合には、装薬ホルダの形状により、ホルダ内で爆発衝撃波の集中効果を生じさせて装薬孔からの亀裂方向を制御することができる（例えば、特許文献１、２参照）。
【０００４】
図１０（ａ）は、対象物１０１の装薬孔１０３に装薬ホルダ１０５を挿入した状態を上から見た図である。
【０００５】
装薬ホルダ１０５はひし型の断面形状を有し、鋼板部材を現場で組合せて製作する。その後、破砕剤１０７をホルダ内に装填する。
【０００６】
そして、図１０（ａ）に示すように、装薬ホルダ１０５を装薬孔１０３に挿入する。その後、装薬孔１０３内および装薬ホルダ１０５内の隙間１０９にグラウトを充填する。破砕剤１０７には脚線（不図示）が接続されるが、この脚線は外に出しておく。グラウトの硬化後、脚線の結線および点火（起爆）を行い、対象物１０１を破砕する。
【０００７】
爆薬を使用する場合、発破時に生じる爆発衝撃波は、特許文献１あるいは特許文献２などに示されているように、装薬ホルダ１０５の内周面を反射しつつ装薬ホルダ１０５内を伝播し、断面の鋭角部に集中する。従って、発破時には、破砕剤１０７と装薬ホルダ１０５の鋭角部を結ぶ方向に対象物１０１の亀裂が進展する。
【先行技術文献】
【特許文献】
【０００８】
【特許文献１】特公平８−１２０４０号公報
【特許文献２】特許第４２４５６１４号公報
【発明の概要】
【発明が解決しようとする課題】
【０００９】
しかしながら、従来の方法では、装薬ホルダを現場で製作して対象物に設置する際に、上記のように施工プロセスが多段階になり、施工時間を要するうえ施工管理が複雑であった。さらに、グラウトが硬化するまでの待機時間において、部外者立ち入り禁止措置等を含めた施工場所の管理が必要になるとともに、落雷・漏電等による不測の事故が生じる恐れも否めなかった。また、装薬ホルダを組み立てるために、あらかじめ専門の板金加工所等で鋼板の切断・加工を施した部材を現場に搬入する必要があり、現場での簡易な加工や寸法修正が困難であった。
【００１０】
また、制御破砕により意図した位置に正確に亀裂を発生させるためには、装薬ホルダを装薬孔の中心など所定位置に正確に設置することが肝要である。例えば図１０（ｂ）に示すように、装薬ホルダ１０５が装薬孔１０３内で傾いて配置されていると、装薬ホルダ１０５による亀裂方向の制御がうまく行われない恐れがある。
【００１１】
そのため、装薬ホルダ１０５を設置してからグラウトの充填終了までの間、装薬ホルダ１０５を正規の位置に保持しておくためにガムテープ等で固定する作業が必要である。また、グラウトの注入圧力による装薬ホルダ１０５の位置ずれにも注意を払うことが必要であり、難しい作業となっていた。
【００１２】
本発明は、前述した問題点に鑑みてなされたもので、その目的は、施工が容易であり、装薬ホルダを正確な位置に設置でき破砕時の亀裂方向の制御効果も高い装薬物等を提供することである。
【課題を解決するための手段】
【００１３】
前述した目的を達成するために、第１の発明は、内部に破砕剤が装填された装薬ホルダと、前記装薬ホルダを収容するパイプと、前記パイプ内および前記装薬ホルダ内の隙間に充填された充填材と、を具備することを特徴とする装薬物である。
【００１４】
このようにして装薬ホルダをパイプに挿入してグラウト等の充填材を充填することにより予め製作された装薬物を、対象物に形成された装薬孔に挿し込むことで、施工がほぼ完了するので、施工が容易となる。また、装薬孔内への充填材の充填が省略できるので、充填材の注入圧による装薬ホルダの位置ずれ等も生じず、正確な位置に容易に設置でき、破砕時の亀裂方向の制御効果が高い。
【００１５】
前記パイプは、例えば、周方向に２つに分割され、分割部が繋ぎ合わされたものとすることが望ましい。また、前記装薬ホルダは、前記破砕剤による爆発衝撃波またはガス圧力が集中する２つの集中箇所を有し、前記集中箇所と前記分割部の位置が対応することが望ましい。
【００１６】
破砕剤には、爆薬・火薬・非火薬破砕剤等があり、その点火（起爆）によって、爆薬を使用する場合は爆発衝撃波が発生し、火薬や非火薬破砕剤を使用する場合はガス圧力が発生する。本発明では、上記のようにして、パイプに分割部を設け、装薬ホルダの爆発衝撃波やガス圧力の集中箇所と対応させることにより、パイプを用いた場合でも、発破時の亀裂方向の制御効果が高まる。
【００１７】
前記装薬ホルダの外周面と前記パイプの内周面との間に衝撃吸収材を配置してもよい。
衝撃吸収材の配置により、亀裂方向と異なる方向の応力を吸収できるため、亀裂方向の制御効果が更に高まる。
【００１８】
第２の発明は、内部に破砕剤が装填された装薬ホルダと、前記装薬ホルダの側面に設けられたスペーサと、を具備することを特徴とする装薬物である。
【００１９】
このように、装薬ホルダの側面にスペーサを設けることにより予め製作された装薬物を、対象物に形成された装薬孔に挿し込むと、スペーサをガイドとして作用させつつ、装薬孔の中心部等の所定位置に挿入、設置することができるので、施工が容易となる。さらに、装薬孔にグラウト等の充填材を注入する際に、注入圧力に対して、スペーサが装薬ホルダと装薬孔の内周面との距離を一定に保持する作用をする。従って、この第２の発明でも、第１の発明と同様に、装薬物の位置ずれが生じず正確な位置に容易に設置でき、破砕時の亀裂方向の制御効果が高くなる。
【００２０】
また、前記装薬ホルダは、円弧状の断面を有する板材に、側面から切り込みを入れ、前記板材を前記切り込みの部分で折り曲げて、周方向の端部同士を繋ぎ合わせて形成されることが望ましい。
これにより、装薬ホルダの製作が容易になり、寸法修正も簡単に行うことができる。また、装薬ホルダの断面形状により、亀裂方向の制御効果も高めることができる。
【００２１】
第３の発明は、内部に破砕剤が装填された装薬ホルダをパイプに収容するとともに前記パイプ内および前記装薬ホルダ内の隙間に充填材を充填することにより予め製作された装薬物を、対象物に形成された装薬孔に挿し込むことを特徴とする装薬物の設置方法である。
【００２２】
第４の発明は、装薬ホルダの内部に破砕剤を装填するとともに前記装薬ホルダの側面にスペーサを設けることにより予め製作された装薬物を、対象物に形成された装薬孔に挿し込むことを特徴とする装薬物の設置方法である。
【００２３】
第３、第４の発明は、それぞれ、第１、第２の発明の装薬物を対象物に設置する設置方法である。装薬物の製作は、現場外または現場内の火工所で事前に行えるため、施工時の現場での作業時間が大幅に削減できる。また、施工時に使用する破砕剤などが現場に存在する時間が短縮できるため、施工時の安全性向上も望める。
【発明の効果】
【００２４】
本発明によれば、施工が容易であり、装薬ホルダを正確な位置に設置でき破砕時の亀裂方向の制御効果も高い装薬物等を提供することができる。
【図面の簡単な説明】
【００２５】
【図１】装薬物２７を示す図
【図２】装薬ホルダ１の組立について示す図
【図３】装薬物２７の製作について示す図
【図４】装薬物２７の設置について示す図
【図５】発破後の対象物３５について示す図
【図６】装薬物６１を示す図
【図７】装薬ホルダ４１の組立について示す図
【図８】装薬物６１の設置について示す図
【図９】発破後の対象物３５について示す図
【図１０】装薬ホルダ１０５の設置について示す図
【発明を実施するための形態】
【００２６】
以下、図面に基づいて、本発明の実施形態について詳細に説明する。
【００２７】
［第１の実施形態］
（装薬物２７の構成）
図１は、第１の実施形態に係る装薬物２７を示す図である。図１に示すように、装薬物２７は、装薬ホルダ１、パイプ１５、グラウト２５、衝撃吸収材２９等からなる。
【００２８】
装薬ホルダ１は、破砕剤９を内部に装填するためのものである。装薬ホルダ１は、２つの円弧の両端部同士を合わせた断面形状を有する筒体である。装薬ホルダ１の断面では、上記の両端部同士を合わせた箇所が鋭角部となり、後述する爆発衝撃波やガス圧力の集中箇所となる。
破砕剤９は、爆薬・火薬・非火薬破砕剤等の高エネルギー物質であり、その点火（起爆）によって爆発衝撃波またはガス圧力を発生させ、これにより対象物の破砕を行うものである。破砕剤９として爆薬を使用する場合は爆発衝撃波が発生し、火薬や非火薬破砕剤を使用する場合はガス圧力が発生する。
【００２９】
パイプ１５は、装薬ホルダ１を内部に収容するためのものである。パイプ１５は円周状の断面形状を有し、これを周方向に２分割した分割体の周方向の両端部同士を、テープ１９で繋ぎ合わせて固定したものである。
【００３０】
なお、装薬ホルダ１およびパイプ１５としては、鋼製やアルミ製等のじん性材料を用いることが望ましい。
【００３１】
グラウト２５は、パイプ１５内および装薬ホルダ１内の隙間を埋めるために用いられる充填材である。
【００３２】
衝撃吸収材２９は、爆発衝撃波やガス圧力を吸収し、亀裂方向の制御効果を高めるためのものである。衝撃吸収材２９は、装薬ホルダ１の外周面とパイプ１５の内周面の間で、破砕剤９から見て上記の集中箇所と直交する方向に設けられる。衝撃吸収材２９には、例えば、スタイロフォーム等を用いることができる。
【００３３】
（装薬物２７の製作）
次に、図２、３を参照して、装薬物２７の製作の手順について説明する。装薬物２７は、現場内あるいは現場外の火工所で事前に製作される。
【００３４】
装薬物２７を製作するには、まず装薬ホルダ１の組立を行う。図２を用いて、装薬ホルダ１の組立について説明する。
【００３５】
装薬ホルダ１を組み立てる際には、まず図２（ａ）に示すように、鋼製やアルミ製等の円周状断面の筒体を周方向に分割し、円弧状の断面を有する板材５を得る。そしてこの板材５に、円弧を分割するように側面から切り込み１１を設ける。次いで、図の矢印Ａに示すように、板材５を切り込み１１の部分で折り曲げ、周方向の端部１３同士を合わせる。
【００３６】
続いて、図２（ｂ）に示すように、端部１３同士をテープ７で繋ぎ合わせて固定し、装薬ホルダ１が形成される。装薬ホルダ１の内部には、破砕剤９が装填される。
【００３７】
これにより、装薬ホルダ１の断面形状は２つの円弧を両端部同士で合わせた形状となる。切り込み１１の部分と、端部１３同士を繋ぎ合わせた部分が鋭角部となり、破砕剤９の点火（起爆）によって、爆薬を使用する場合には爆発衝撃波の集中作用を作り出す。あるいは、火薬や非火薬破砕剤を使用する場合は、発生するガス圧力がこれら２カ所に集中作用する。
【００３８】
装薬ホルダ１の断面寸法は、例えば、長軸方向の長さを２５ｍｍ程度、短軸方向の長さを２０ｍｍ程度とする。こうして小型とすると、３０ｍｍ径程度の小径の装薬孔に挿入できる。
【００３９】
上記のようにして装薬ホルダ１を組み立てる一方、図３（ａ）に示すように、円周状断面のパイプ１５を分割部１７にて周方向に２分割し、２つの分割体１５ａの周方向の両端部同士をテープ１９で繋ぎ合わせて固定する。
【００４０】
続いて、図３（ｂ）に示すように、前記の装薬ホルダ１をパイプ１５に挿入する。また、衝撃吸収材２９を、装薬ホルダ１の外周面２２とパイプ１５の内周面２４との間に配置する。装薬ホルダ１では、切り込み１１の部分と端部１３同士を繋ぎ合わせた部分とが、前記の爆発衝撃波やガス圧力が集中する集中箇所となるが、装薬ホルダ１をパイプ１５に挿入する際には、この集中箇所をパイプ１５の分割部１７の位置に対応させる。また、衝撃吸収材２９は、破砕剤９から見て、２つの分割部１７から周方向に９０°回転させた方向に配置する。
【００４１】
最後に、図３（ｃ）に示すように、グラウト２５を、パイプ１５内および装薬ホルダ１内の隙間２３（図３（ｂ））に充填して硬化させると、装薬物２７が製作される。
【００４２】
（装薬物２７の設置および発破）
次に、装薬物２７の設置および発破の手順について、図４、５を参照して説明する。装薬物２７は、前記の手順で事前に製作されたものを施工場所に搬送し、対象物に設置する。
【００４３】
まず、図４を参照して、装薬物２７の設置について説明する。
図４は、対象物３５に装薬物２７を設置した状態を示す図であり、図４（ａ）は、図４（ｂ）の線Ｃ−Ｃによる断面図、図４（ｂ）は、図４（ａ）の線Ｂ−Ｂによる断面図である。なお、対象物３５は、例えばコンクリート構造物等である。
【００４４】
対象物３５に装薬物２７を設置するには、まず、図４に示すように、対象物３５に形成された装薬孔３３に、装薬物２７を挿し込む。そして、装薬孔３３において、装薬物２７の上部に砂３９等を込める。装薬孔３３は、直径３０ｍｍ程度の小径のものである。また、前記の破砕剤９には脚線（不図示）が接続されており、脚線の端部は装薬孔３３の外に出された状態である。
【００４５】
続いて、破砕剤９の脚線を結線し、破砕剤９の点火（起爆）を行う。図５は、発破後の装薬孔３３近辺の状態を示す図である。装薬物２７の発破により、装薬孔３３の両側に亀裂３７が生じる。亀裂３７の方向は、図４（ａ）に示す破砕剤９から見て、装薬ホルダ１の爆発衝撃波やガス圧力が集中する集中箇所（切り込み１１の部分と端部１３同士を繋ぎ合わせた部分）と、パイプ１５の分割部１７が重なる方向である。
【００４６】
このように、第１の実施形態では、破砕剤９を装填した装薬ホルダ１をパイプ１５に挿入し、グラウト２５を充填、硬化させることにより装薬物２７を予め製作する。施工時には、予め製作された装薬物２７を対象物３５に形成された装薬孔３３に挿し込むだけで装薬物２７の設置がほぼ完了するので、施工も容易である。また、装薬孔３３内にグラウトを注入する必要もなく、グラウト注入圧による装薬ホルダ１の位置ずれ等も生じないので、正確な位置に容易に設置でき、破砕時の亀裂方向の制御効果が高い。
【００４７】
さらに、装薬物２７の製作は、現場外または現場内の火工所で事前に行えるため、施工時には、現場での作業時間が大幅に削減できる。また、施工時に使用する破砕剤９などが現場に存在する時間が短縮できるため、施工時の安全性向上も望める。
【００４８】
また、装薬物２７では、パイプ１５に分割部１７が設けられており、他の部分に比べ構造的に弱い部分となっている。そして、この分割部１７の位置と、装薬ホルダ１の爆発衝撃波やガス圧力の集中箇所とが対応する。これにより、発破時に意図した方向にひび割れを誘発することができ、亀裂方向の制御効果が高くなる。
【００４９】
さらに、第１の実施形態では、装薬物２７において、前記したように衝撃吸収材２９を配置することにより、亀裂方向と直交する方向の応力が吸収され、意図しない方向への亀裂発生を抑制できる。また、応力吸収により装薬ホルダ１やパイプ１５の破損も防ぐことができ、再利用が可能になる利点もある。
【００５０】
また、第１の実施形態では、装薬ホルダ１を、円弧状の板材５を折り曲げて作成する。これにより、装薬ホルダ１の製作や寸法修正を容易に行うことができる。さらに、図１０（ａ）に示すようなひし型の装薬ホルダ１０５を用いた場合、意図する方向（ＸＸ）だけでなく、それと直交する方向（ＹＹ）にもある程度の爆発衝撃波やガス圧力の集中が発生するが、本実施形態のように円弧を組み合わせた装薬ホルダ１の断面形状では、このような意図しない箇所への爆発衝撃波やガス圧力の集中を抑制することができる。
【００５１】
ただし、本発明はこれに限ることはない。例えば、装薬ホルダ１の形状は上記に限らず様々に定めることができ、ひし形のものとすることも可能である。また、パイプ１５の分割部１７も必要に応じて設けられ、例えばパイプ１５自体を強度の低い材料で構成する場合などでは、省略することも考えられる。
【００５２】
さらに、装薬ホルダを正確な位置に設置するための構成についても、第１の実施形態で説明したものに限ることはない。別の構成の例について、第２の実施形態として以下説明する。
【００５３】
［第２の実施形態］
図６は、第２の実施形態の装薬物６１を示す図である。図６（ａ）は装薬物６１の斜視図である。図６（ｂ）は装薬物６１を上から見た図である。図６（ｃ）はスペーサ５５を示す図である。
【００５４】
第２の実施形態の装薬物６１は、内部に破砕剤９を装填した装薬ホルダ４１の側面に、スペーサ５５を複数取り付けたものである。
【００５５】
図６（ａ）、（ｂ）に示すように、装薬ホルダ４１は、ひし形の断面形状を有する筒体である。この断面形状では、鋭角部が爆発衝撃波やガス圧力の集中箇所となる。
【００５６】
スペーサ５５は、装薬ホルダ４１と装薬孔３３の間を一定間隔に保持し、装薬物６１を正しい位置に正確に配置するためのものである。図６（ｃ）に示すように、スペーサ５５は、中央付近を折り曲げるようにして山型形状の凸部５７を形成した板材である。また、両端部は平坦部５９となっている。
【００５７】
装薬ホルダ４１およびスペーサ５５には、例えば、鋼製やアルミ製等、じん性材料からなる板材を用いることが望ましい。
【００５８】
（装薬物６１の製作）
次に、図７等を参照して、装薬物６１の製作の手順について説明する。
【００５９】
装薬物６１を製作する際も、まず装薬ホルダ４１の組立を行う。図７を用いて、装薬ホルダ４１の組立について説明する。
【００６０】
装薬ホルダ４１を組み立てる際には、まず図７（ａ）に示すように、鋼製やアルミ製等の２枚の山型断面の板材４５の端部５３同士を突合せ、図７（ｂ）に示すように、端部５３同士をテープ４７で繋ぎ合わせて固定する。こうして装薬ホルダ４１が組み立てられる。装薬ホルダ４１の内部には、破砕剤９が装填される。装薬ホルダ４１では、端部５３同士を繋ぎ合わせた鋭角部が、爆発衝撃波やガス圧力が集中する２つの集中箇所となる。
【００６１】
次に、図６（ａ）に示したように、装薬ホルダ４１の４つの側面４４のそれぞれに、スペーサ５５を取り付ける。スペーサ５５は、装薬ホルダ４１の高さ方向にも複数取り付けられる。
【００６２】
スペーサ５５の平坦部５９は、装薬ホルダ４１の側面４４に沿って配置され、テープ６３を平坦部５９の上から装薬ホルダ４１の周囲に巻き付けるようにして貼り付ける。これにより、スペーサ５５が装薬ホルダ４１に固定され、装薬物６１が製作される。なお、ここで装薬ホルダ４１内の隙間に予めグラウトを充填して硬化させてもよい。
【００６３】
（装薬物６１の設置および発破）
次に、装薬物６１の設置および発破の手順について、図８、９を参照して説明する。
【００６４】
まず、図８を参照して、装薬物６１の設置について説明する。図８（ａ）は、対象物３５の装薬孔３３に装薬物６１を挿入した状態を上から見た図である。図８（ｂ）、図８（ｃ）は、グラウト７７を充填した状態を示す。図８（ｂ）は図８（ｃ）の線Ｅ−Ｅによる断面図、図８（ｃ）は図８（ｂ）の線Ｄ−Ｄによる断面図である。
【００６５】
対象物３５に装薬物６１を設置するには、図８（ａ）に示すように、対象物３５に形成された装薬孔３３の内周面７１にスペーサ５５の凸部５７を沿わせつつ、装薬物６１を装薬孔３３に挿入する。
【００６６】
そして、図８（ｂ）、（ｃ）に示すように、装薬孔３３内部および装薬ホルダ４１内部の隙間７３（図８（ａ））にグラウト７７を充填する。グラウト７７は、装薬孔３３の頂部まで充填しておく。また、前記と同様、破砕剤９の脚線（不図示）は装薬孔３３の外に出しておく。
【００６７】
続いて、破砕剤９の脚線を結線し、破砕剤９の点火（起爆）を行う。図９は、発破後の装薬孔３３近辺の状態を示す図である。装薬物６１の発破により、装薬孔３３の両側に亀裂７９が生じる。亀裂７９の方向は、図８（ｂ）に示す破砕剤９から見て、装薬ホルダ４１の爆発衝撃波やガス圧力が集中する集中箇所（鋭角部）の方向である。
【００６８】
このように、第２の実施形態では、装薬ホルダ４１の側面４４にスペーサ５５を設けることにより装薬物６１を予め製作する。施工時には、スペーサ５５をガイドとして作用させつつ、装薬物６１を装薬孔３３の中心部等の所定位置に挿入、設置することができるので、施工が容易となる。さらに、第１の実施形態と同様、施工時の作業時間が短縮され、安全性が向上する効果もある。
また、装薬孔３３にはグラウト７７を注入するが、この際、グラウト７７の注入圧力に対し、スペーサ５５が装薬ホルダ４１と装薬孔３３の内周面７１との距離を一定に保持する作用をするため、第１の実施形態と同様、グラウト注入圧による装薬ホルダ４１の位置ずれ等も生じず正確な位置に容易に設置でき、破砕時の亀裂方向の制御効果が高い。
【００６９】
なお、第１の実施形態の装薬ホルダ１と同様のホルダを装薬ホルダ４１に替えて用いることも可能である。さらに、スペーサ５５の形状は、図６（ｃ）に示したものに限らない。スペーサ５５は、上記した機能を有するものであればよく、例えば凸部５７は山型状に限らず円弧状にもできる。
【００７０】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７１】
１、４１、１０５：装薬ホルダ
５、４５：板材
９：破砕剤
１１：切り込み
１５：パイプ
１７：分割部
２３、７３：隙間
２５、７７：グラウト
２７、６１：装薬物
２９：衝撃吸収材
３３：装薬孔
３５：対象物
３７、７９：亀裂
５５：スペーサ
【図１】
2014085085.tif 000003
【図２】
2014085085.tif 000004
【図３】
2014085085.tif 000005
【図４】
2014085085.tif 000006
【図５】
2014085085.tif 000007
【図６】
2014085085.tif 000008
【図７】
2014085085.tif 000009
【図８】
2014085085.tif 000010
【図９】
2014085085.tif 000011
【図１０】
2014085085.tif 000012